(57)【要約】【課題】 押圧プレートがユーザーの腹部や脚部に直接接触しないようにすると共に、排泄物袋のストマに対する位置ずれと、コンパクトながらヘルニアを抑制することができるストマ用ベルトを提供する。【解決手段】排泄物袋のパウチを挿通する開口部１１を有する押圧プレート１０と、押圧プレートの開口部１１を露出させる窓部２３を有し、押圧プレート１０を収納するプレート収納部２０と、プレート収納部２０から横方向に延出する帯部３０、３１と、押圧プレート１０をプレート収納部内２０に着脱可能に固定する固定具４０とを備え、プレート収納部２０は、上下両端が閉塞されると共に両側又は一側に押圧プレートを出し入れするための開口２４が形成されている。【選択図】図１
0003200994.tif 000002
【実用新案登録請求の範囲】
【請求項１】
人体（Ｐ）に造設されたストマ（Ｓ）を受け入れる受入口（５１ｃ）を有するフランジ（５１）と、このフランジ（５１）に接続されると共に前記ストマ（Ｓ）から排泄される排泄物を収納するパウチ（５２）とを備えた排泄物袋（５０）の前記フランジ（５１）を前記人体（Ｐ）に貼着した状態で、前記ストマ（Ｓ）の周辺の皮膚を押圧するべく前記人体（Ｐ）に装着されるストマ用ベルト（１）であって、
前記パウチ（５２）を挿通する開口部（１１）を有し、前記フランジ（５１）と前記パウチ（５２）の間に配置される湾曲可能な押圧プレート（１０）と、
前後に対向配置されたシート状の第１被覆体（２１）と第２被覆体（２２）により形成され、前記押圧プレート（１０）を前記第１被覆体（２１）と前記第２被覆体（２２）の間に挟み込んだ状態で収納すると共に前記開口部（１１）を露出させる窓部（２３）が前記第１被覆体（２１）と前記第２被覆体（２２）に設けられたプレート収納部（２０）と、
前記プレート収納部（２０）から横方向に延出し、前記人体（Ｐ）に巻き付けられる帯部（３０）と、
前記押圧プレート（１０）を前記プレート収納部（２０）内に着脱可能に固定する固定具（４０）を備え、
前記プレート収納部（２０）は、上下両端が閉塞されると共に両側又は一側に前記押圧プレート（１０）を出し入れするための開口（２４）を有していることを特徴とするストマ用ベルト。
【請求項２】
前記固定具（４０）は、前記押圧プレート（１０）の左右両端において上端と下端の各々を前記プレート収納部（２０）に固定するように形成されていることを特徴とする請求項１に記載のストマ用ベルト。
【請求項３】
前記帯部（３０）は、複数の貫通孔が形成された弾性発泡体層上に伸縮性布帛を積層した素材により形成されていることを特徴とする請求項１又は２に記載のストマ用ベルト。
【考案の詳細な説明】
【技術分野】
【０００１】
本考案は、人体に造設されたストマから排泄される排泄物を収納する排泄物袋を人体に装着した状態で起こりえるトラブルを改善し、コンパクトでありながら、ストマの周りのヘルニアを抑制できるストマ用ベルトに関するものである。
【背景技術】
【０００２】
直腸癌や膀胱癌により肛門や膀胱を切除した人の腹部には、便や尿を排泄するための排泄口（ストマ）が造設される。
このようなストマは、肛門や尿道のように排泄物の排泄量をコントロールすることができないため、排泄物がストマから垂れ流し状態になる。
そこで、ストマから排泄される排泄物を収納する排泄物袋を人体に装備する必要がある。
【０００３】
この排泄物袋は、人体から突出するストマを受け入れる受入口を有するフランジに接続されると共にストマから排泄される排泄物を収納するパウチとを備えている。
なお、排泄物袋は、フランジとパウチが分離不能な１ピースタイプと、フランジとパウチが分離可能な２ピースタイプとがある。
フランジは皮膚保護剤を含む粘着剤によってストマの周囲の皮膚に貼着される。
そして、人体に装着された排泄物袋のストマに対する位置ずれを抑制するとともに、ストマ周辺で生じる腸のヘルニアを抑制するために、特許文献１のようなストマ用ベルトが人体に装着される。
【０００４】
このストマ用ベルトは、開口部を有する押圧プレートと、押圧プレートを収納する袋部と、袋部から横方向に延出する帯部とを備えている。
押圧プレートは、その開口部に排泄物袋のパウチを挿通することにより、フランジとパウチの間に配置される。押圧プレートは湾曲可能に形成されている。
袋部は上端に開口を有しており、この開口を介して押圧プレートが袋部に出し入れされる。また、袋部の前後両面には、押圧プレートの開口部を露出させるための窓部が設けられている。
【０００５】
帯部は人体に巻き付けられ、その両端がベルベット式ファスナー等によって接続される。
帯部を人体に巻き付けることにより、ベルト内に収納された押圧プレートが人体に沿って湾曲して排泄物袋のフランジを人体に適度に押圧する。その結果、排泄物袋のストマに対する位置ずれが抑制されるとともに、ストマ周辺の腸のヘルニアが抑制される。
【先行技術文献】
【特許文献】
【０００６】
【特許文献１】実用新案登録第３１６１８５６号公報
【考案の概要】
【考案が解決しようとする課題】
【０００７】
ところで、特許文献１のストマ用ベルトでは、以下に述べるような課題がある。
すなわち、特許文献１のストマ用ベルトでは、袋部の上辺が開口しているのに加えて、押圧プレートが袋部に対して上方へ移動し得るため、押圧プレートの上端が袋部の上方に突出してユーザーの腹部を圧迫することがある。
また、押圧プレートが袋部に対して上方に移動することにより、排泄物袋が１ピースタイプの場合には、パウチが破損したり、パウチがフランジと一緒に人体から剥離する虞がある。また、排泄物袋が２ピースタイプの場合には、パウチがフランジから分離する虞がある。
【０００８】
本考案は、上述した問題点に鑑みてなされたものであり、押圧プレートがユーザーの腹部や脚部に直接接触しないようにすると共に、排泄物袋の受入口のストマに対する位置ずれを抑制し、さらにストマ周辺のヘルニアを抑制することができるストマ用ベルトを提供することを目的とする。
【課題を解決するための手段】
【０００９】
上述した課題を解決するため、本考案では、以下の技術的手段を講じている。
すなわち、本考案は、人体Ｐに造設されたストマＳを受け入れる受入口５１ｃを有するフランジ５１と、このフランジ５１に接続されると共に前記ストマＳから排泄される排泄物を収納するパウチ５２とを備えた排泄物袋５０を前記人体Ｐに固定するストマ用ベルト１であって、前記パウチ５２を挿通する開口部１１を有し、前記フランジ５１と前記パウチ５２の間に配置される湾曲可能な押圧プレート１０と、前後に対向配置されたシート状の第１被覆体２１と第２被覆体２２により形成され、前記押圧プレート１０を前記第１被覆体２１と前記第２被覆体２２の間に挟み込んだ状態で収納すると共に前記開口部１１を露出させる窓部２３が前記第１被覆体２１と前記第２被覆体２２に設けられたプレート収納部２０と、前記プレート収納部２０から横方向に延出し、前記人体Ｐに巻き付けられる帯部３０、３１と、前記押圧プレート１０を前記プレート収納部２０内に着脱可能に固定する固定具４０とを備え、前記プレート収納部２０は、上下両端が閉塞されると共に両側又は一側に前記押圧プレート１０を出し入れするための開口２４を有していることを特徴とする。
【００１０】
なお、前記固定具４０は、前記押圧プレート１０の左右両端を前記プレート収納部２０に固定するように形成されているのが好ましい。
なお、前記帯部３０、３１は、貫通穴が形成された弾性発泡体層上に伸縮性布帛を積層した素材により形成されることが好ましい。
【考案の効果】
【００１１】
本考案のストマ用ベルト１によれば、押圧プレート１０がユーザーの腹部や脚部に直接接触しないと共に、排泄物袋５０の受入口５１ｃのストマＳに対する位置ずれを抑制することができる。
押圧プレート１０の左右両端をプレート収納部２０に固定することにより、押圧プレート１０がプレート収納部２０とほぼ同じ形状に湾曲するため、ストマＳの周辺の皮膚を適切に押圧することができる。その結果、ストマＳの周辺のヘルニアが抑制され腸の働きを元に戻し円滑にすることが出来る。
【００１２】
帯部３０、３１を、複数の貫通孔が形成された弾性発泡体層上に伸縮性布帛を積層した素材で形成することにより、帯部３０、３１と皮膚の間にむれが生じるのを抑制することができるとともに、帯部３０、３１の耐久性が向上する。
【図面の簡単な説明】
【００１３】
【図１】本考案に係るストマ用ベルトの実施形態を外面側（人体装着時の外側）から見た正面図である。
【図２】実施形態のストマ用ベルトの斜視図である。
【図３】排泄物袋の側面断面図である。
【図４】実施形態のストマ用ベルトを用いて排泄物袋を人体に固定した状態を示す図である。
【図５】図４のＶ−Ｖ断面図である。
【考案を実施するための形態】
【００１４】
以下、本考案に係るストマ用ベルトの実施形態を図面に基づき詳しく説明する。
本実施形態の説明に先立って排泄物袋の構成を説明する。図３乃至図５に示すように、排泄物袋５０は、人体Ｐ上に配置されるフランジ５１と、排泄物を収納するパウチ５２とを備えている。この排泄物袋５０は、フランジ５１とパウチ５２が分離可能になっており、所謂２ピースタイプと称されている。
【００１５】
フランジ５１は、人体Ｐの皮膚に接する板状の接皮部５１ａと、この接皮部５１ａにおける人体Ｐと反対側の面から突出する短い筒状の被接続部５１ｂとを有している。
接皮部５１ａは、人体Ｐの表面に沿って変形し得るように、シリコンラバー等の柔軟な材料により形成されている。接皮部５１ａの中心にはストマＳを受け入れる受入口５１ｃが形成されている。
【００１６】
被接続部５１ｂは適度の剛性を有する合成樹脂により形成され、パウチ５２の接続部５２ｄ（後述）に対して嵌脱可能に嵌合する。
次に、本実施形態のストマ用ベルトについて説明する。
図１に示すように、ストマ用ベルト１は、押圧プレート１０と、この押圧プレート１０を収納するプレート収納部２０と、このプレート収納部２０の左右両端から横方向に延出する帯部３０、３１とを備えている。
【００１７】
押圧プレート１０は適度の剛性を有する合成樹脂により横長矩形状に形成され、湾曲可能になっている。押圧プレート１０は中央部に円形の開口部１１を有している。また、押圧プレート１０の左右両端において、上端と下端の各々には、固定具としてのホック４０を構成する雌部材４１が設けられている。これら４個の雌部材４１は、押圧プレート１０の上端縁または下端縁の近傍に位置し、上下左右に等間隔をおいて配置されている。開口部１１には、排泄物袋５０のパウチ５２が挿通可能である。図５に示すように、フランジ５１に接続されたパウチ５２の袋部５２ａを押圧プレート１０の開口部１１に挿通することにより、押圧プレート１０がフランジ５１とパウチ５２の間に配置される。
【００１８】
なお、開口部１１の内周面の角部は押圧プレート１０の両面から面取りされており、パウチ５２を開口部１１に出し入れする際にパウチ５２が破れにくくなるようにしている。
開口部１１の直径は、パウチ５２の接続部５２ｄの外周径よりも２ｍｍ程度大きくされている。このようにすると、押圧プレート１０が接続部５２ｄに対して径方向に１ｍｍ程度移動しても、開口部１１の内周面が接続部５２ｄに当接しないため、押圧プレート１０が排泄物袋５０を移動させることはない。したがって、受入口５１ｃがストマＳから外れるのを抑制することができる。
【００１９】
図２に示すように、プレート収納部２０は、前後に対向配置された矩形シート状の第１被覆体２１と第２被覆体２２により形成され、押圧プレート１０を第１被覆体２１と第２被覆体２２の間に挟み込んだ状態で収納する。
第１被覆体２１と第２被覆体２２は柔軟で且つ伸縮しにくい布材等により形成されている。第１被覆体２１と第２被覆体２２は上下両端縁に沿って縫着されており、上下両端縁が閉塞されている。第１被覆体２１と第２被覆体２２の両側縁は縫着されておらず、これら両側縁に沿って開口２４（一方のみ図示）が形成されている。押圧プレート１０は、開口２４を介してプレート収納部２０に挿脱される。
【００２０】
第１被覆体２１と第２被覆体２２の中央部には円形の窓部２３が設けられている。この窓部２３は押圧プレート１０の開口部１１よりも大径で、プレート収納部２０に収納された押圧プレート１０の開口部１１の全体をプレート収納部２０の外部に露出させる。
また、第１被覆体２１の左右両端には、ホック４０を構成する雄部材４２が２個ずつ設けられている。これら４個の雄部材４２の各々は、プレート収納部２０に収納された押圧プレート１０の４個の雌部材４１のいずれかと着脱可能に嵌合する。したがって、プレート収納部２０内における押圧プレート１０の位置ずれを確実に防ぐことができ、排泄物袋５０がストマＳから外れたり、パウチ５２がフランジ５１と分離したりするのを抑制することができる。
【００２１】
また、押圧プレート１０は、その一方の面において、上下左右に間隔をおいて配置された４個のホック４０によってプレート収納部２０に固定されるため、プレート収納部２０と一体化することによってプレート収納部２０を補強する効果を奏する。すなわち、帯部３０、３１からプレート収納部２０に伝達される張力がプレート収納部２０で分散するため、プレート収納部２０の変形を抑制することができる。したがって、ストマＳの周辺の皮膚をほぼ均一に押圧することができ、ヘルニアを効果的に抑制して違和感を低減することができる。
【００２２】
帯部３０、３１は伸縮性が良好な素材により形成されている。具体的には、複数の貫通孔が形成された弾性発泡体層と、その一方の面に積層された伸縮性布帛とを有する素材が用いられる。
弾性発泡体層は、例えば、天然ゴムもしくは合成ゴム、その他の合成樹脂等により形成され、その厚みは、例えば、１．５ｍｍ〜４ｍｍである。
【００２３】
弾性発泡体層に形成される貫通孔は、例えば、開口直径３ｍｍ程度で弾性発泡体層を厚み方向に貫通し、１ｃｍ2当たり２〜３個程度が望ましい。弾性発泡体層にこのような貫通孔を形成することにより、帯部３０、３１の通気性が向上し、帯部３０、３１と皮膚との間にむれが生じるのを抑制することができる。
伸縮性布帛としては、ナイロン又はポリエステル製のジャージ布が使用されるが、その他の通気性が良好な合成繊維もしくは天然繊維により形成された織物または編物を用いることもできる。伸縮性布帛の厚みは、例えば、０．２〜１．５ｍｍである。
【００２４】
このような伸縮性に優れた素材で帯部３０、３１を形成することにより、帯部３０、３１に繰り返し引張力が付与されても、帯部３０、３１を形成する素材が破断しにくいため、耐久性が向上する。
帯部３０、３１の先端部の片面には、ベルベット式ファスナー等の接続部材（図示せず）が設けられており、帯部３０、３１の先端部を相互に重ね合わせた状態で接続固定することができる。
【００２５】
次に、ストマ用ベルト１によって排泄物袋５０を人体Ｐに固定する手順を説明する。
先ず、ストマ用ベルト１に押圧プレート１０を装着する。すなわち、人体Ｐに固定する排泄物袋５０に対応する大きさの開口部１１を有する押圧プレート１０を用意してストマ用ベルト１のプレート収納部２０に挿入する。
そして、プレート収納部２０の第１被覆体２１の外面側から四つの雄部材４２を押圧して押圧プレート１０の雌部材４１に嵌合させる。その結果、押圧プレート１０がプレート収納部２０に固定される。
【００２６】
次に、排泄物袋５０を人体Ｐに取り付ける。すなわち、排泄物袋５０のフランジ５１の人体Ｐに対向する面に粘着剤を塗布する。そして、人体Ｐから突出しているストマＳがフランジ５１の受入口５１ｃに挿入されるようにして、フランジ５１を人体Ｐに貼着する。
次に、パウチ５２の接続部５２ｄをフランジ５１の被接続部５１ｂに嵌合させてパウチ５２をフランジ５１に接続する。
【００２７】
次に、人体Ｐに取り付けられた排泄物袋５０のパウチ５２をストマ用ベルト１の内面側からプレート収納部２０内の押圧プレート１０の開口部１１に挿通し、図５に示すように、パウチ５２をプレート収納部２０の外側に引き出して、押圧プレート１０をフランジ５１とパウチ５２の間に配置する。
そして、ストマ用ベルト１の帯部３０、３１をプレート収納部２０と反対の方向に引っ張りながら人体Ｐに巻き付け、図４に示すように、帯部３０、３１の先端部を接続してストマ用ベルト１を人体Ｐに装着する。
【００２８】
押圧プレート１０はプレート収納部２０と共に人体Ｐに沿って湾曲し、第２被覆体２２を介して排泄物袋５０のフランジ５１を人体Ｐに押圧する。その結果、排泄物袋５０が人体Ｐに固定される。  このストマ用ベルト１では、プレート収納部２０の上下両端が閉塞されているため、押圧プレート１０がプレート収納部２０の上方又は下方に突出することがない。したがって、ユーザーが身体を曲げてもユーザーの腹部や脚部に押圧プレート１０が直接接触することがない。
【００２９】
また、押圧プレート１０がホック４０によってプレート収納部２０内に固定されているため、押圧プレート１０がプレート収納部２０に対して位置ずれするのを抑制することができる。したがって、排泄物袋５０が押圧プレート１０に押されて受入口５１ｃがストマＳに対して位置ずれするのを抑制することができる。
さらに、ホック４０は押圧プレート１０の左右両端をプレート収納部２０の第１被覆体２１に固定するため、押圧プレート１０が全長に亘って第１被覆体２１とほぼ同じ形状に湾曲して、人体Ｐの表面とほぼ平行になる。その結果、ストマＳの周辺の皮膚が広い範囲に亘ってほぼ均一に押圧され、腸のヘルニアを効果的に抑制することができる。その結果、腸の働きを円滑にすることができ、ストマＳの周辺の違和感が低減する。
【００３０】
なお、本考案は上記実施形態に限定されるものではなく、本考案の要旨を逸脱しない範囲で上記実施形態に種々の改変を施すことができる。
例えば、上記実施形態では、フランジ５１とパウチ５２を分離可能に接続した２パーツタイプの排泄物袋５０を人体Ｐに固定する場合について説明したが、フランジとパウチを分離不能に接続した１ピースタイプの排泄物袋を人体に固定する場合についても、本考案のストマ用ベルトを用いることもできる。
【００３１】
押圧プレート１０をプレート収納部２０に出し入れするための開口２４はプレート収納部２０の一側のみに形成してもよい。
押圧プレート１０をプレート収納部２０に着脱可能に固定する固定具４０はホック以外のもの（例えば、ベルベット式ファスナー）でもよい。
固定具４０は押圧プレート１０の左右両端以外の部位をプレート収納部２０に固定するように設けてもよい。
【００３２】
帯部３０、３１は、上記実施形態以外の素材（例えば、伸縮性繊維で編んだシート材）によって形成してもよい。
【符号の説明】
【００３３】
１    ストマ用ベルト
１０    押圧プレート
１１    開口部
２０    プレート収納部
２１    第１被覆体
２２    第２被覆体
２３    窓部
２４    開口
３０    帯部
３１    帯部
４０    固定具
５０    排泄物袋
５１    フランジ
５１ｃ  受入口
５２    パウチ
Ｐ    人体
Ｓ    ストマ
【図１】
0003200994.tif 000003
【図２】
0003200994.tif 000004
【図３】
0003200994.tif 000005
【図４】
0003200994.tif 000006
【図５】
0003200994.tif 000007